(57)【要約】      （修正有）【課題】ワイヤのたるみ解消のためのスプリングのストロークを十分に利用でき、より少ない部品点数とより簡易な作業とで製造できるウインドレギュレータを提供する。【解決手段】ウインドレギュレータ１は、ワイヤ４が掛け回されてワイヤ４の方向を変える方向変換部材２７と、ガイドレール２の一端部に取り付けられ、方向変換部材２７を所定の固定位置に案内する案内部が設けられた固定部材と、を備えるワイヤ支持部２０を有し、案内部が方向変換部材２７を案内する方向は、ガイドレール２の長手方向に対して交差する方向である。【選択図】図１
2020020183.tif 000002
【特許請求の範囲】
【請求項１】
窓ガラスの移動方向に沿って配置されたガイドレールと、前記ガイドレールに沿って前記窓ガラスと共に移動するキャリアプレートと、モータの作動によって回転駆動されるドラムと、一端部が前記キャリアプレートに連結され、他端部が前記ドラムに連結されたワイヤと、前記ワイヤに張力を付与するスプリングと、前記ガイドレールの一端部に設けられて前記ワイヤを支持するワイヤ支持部と、を有し、前記ワイヤにより前記キャリアプレートを移動させることによって前記窓ガラスを昇降させるウインドレギュレータであって、
前記ワイヤ支持部は、前記ワイヤが掛け回されて前記ワイヤの方向を変える方向変換部材と、前記ガイドレールの前記一端部に取り付けられ、前記方向変換部材を所定の固定位置に案内する案内部が設けられた固定部材と、を有し、
前記案内部が前記方向変換部材を案内する方向は、前記ガイドレールの長手方向に対して交差する方向である、
ウインドレギュレータ。
【請求項２】
前記案内部が前記方向変換部材を案内する方向は、前記ガイドレールの長手方向に対して直交する方向である、
請求項１に記載のウインドレギュレータ。
【請求項３】
前記案内部が前記方向変換部材を案内する方向は、前記ガイドレールの長手方向に対して傾斜する方向であって、前記方向変換部材を前記案内部で案内して前記所定の固定位置に近づけるにつれて前記ワイヤに付与される張力が増加する方向である、
請求項１に記載のウインドレギュレータ。
【請求項４】
前記案内部が前記方向変換部材を案内する方向は、前記ガイドレールの長手方向に対して傾斜する方向であって、前記方向変換部材を前記案内部で案内して前記所定の固定位置に近づけるにつれて前記ワイヤに付与される張力が減少する方向である、
請求項１に記載のウインドレギュレータ。
【請求項５】
前記案内部が前記方向変換部材を案内する方向は、前記ガイドレールの幅方向である、
請求項１乃至４のいずれか１項に記載のウインドレギュレータ。
【請求項６】
前記案内部が前記方向変換部材を案内する方向は、前記ガイドレールの長手方向及び前記ガイドレールの幅方向に直交する方向である、
請求項１乃至４のいずれか１項に記載のウインドレギュレータ。
【請求項７】
前記固定部材は、前記案内部により案内された前記方向変換部材を前記所定の固定位置に係止する係止部を有する、
請求項１乃至６のいずれか１項に記載のウインドレギュレータ。
【請求項８】
前記方向変換部材及び前記固定部のいずれか一方に形成された凹部が、他方に形成された凸部に係合している、
請求項１乃至７のいずれか１項に記載のウインドレギュレータ。
【請求項９】
前記方向変換部材はプーリーを有する、
請求項１乃至８のいずれか１項に記載のウインドレギュレータ。
【請求項１０】
窓ガラスの移動方向に沿って配置されたガイドレールと、前記ガイドレールに沿って前記窓ガラスと共に移動するキャリアプレートと、モータの作動によって回転駆動されるドラムと、一端部が前記キャリアプレートに連結され、他端部が前記ドラムに連結されたワイヤと、前記ワイヤに張力を付与するスプリングと、前記ガイドレールの一端部に設けられて前記ワイヤを支持するワイヤ支持部と、を有し、前記ワイヤにより前記キャリアプレートを移動させることによって前記窓ガラスを昇降させるウインドレギュレータの製造方法であって、
前記ワイヤ支持部は、前記ワイヤが掛け回されて前記ワイヤの方向を変える方向変換部材と、前記ガイドレールの前記一端部に取り付けられ、前記方向変換部材を所定の固定位置に案内する案内部が設けられた固定部材と、を有し、
一端部が前記キャリアプレートに連結されると共に他端部が前記ドラムに連結されたワイヤを前記方向変換部材に掛け回し、その後に前記方向変換部材を前記固定部材に設けられた前記案内部で案内することで、前記ガイドレールの長手方向に対して交差する方向に移動させ、前記方向変換部材を所定の位置に固定する、
ウインドレギュレータの製造方法。
【請求項１１】
窓ガラスの移動方向に沿って配置されたガイドレールと、前記ガイドレールに沿って前記窓ガラスと共に移動するキャリアプレートと、モータの作動によって回転駆動されるドラムと、一端部が前記キャリアプレートに連結され、他端部が前記ドラムに連結されたワイヤと、前記ワイヤに張力を付与するスプリングと、前記ガイドレールの一端部に設けられて前記ワイヤを支持するワイヤ支持部と、を有し、前記ワイヤにより前記キャリアプレートを移動させることによって前記窓ガラスを昇降させるウインドレギュレータのワイヤ支持部であって、
前記ワイヤ支持部は、前記ワイヤが掛け回されて前記ワイヤの方向を変える方向変換部材と、前記ガイドレールの前記一端部に取り付けられ、前記方向変換部材を所定の固定位置に案内する案内部が設けられた固定部材と、を有し、
前記案内部が前記方向変換部材を案内する方向は、前記ガイドレールの長手方向に対して交差する方向である、
ウインドレギュレータのワイヤ支持部。
【発明の詳細な説明】
【技術分野】
【０００１】
本発明は、車両のドアの窓ガラスを昇降させるウインドレギュレータ、その製造方法及びそのワイヤ支持部に関する。
【背景技術】
【０００２】
従来、車両のドアには、モータの駆動力により窓ガラスを昇降させるウインドレギュレータが用いられている（例えば、特許文献１乃至３参照）。
【０００３】
特許文献１記載のウインドレギュレータは、ガイドレール端部にケーブルガイドを設け、ケーブルガイドは、ケーブルをガイドしながら、ケーブルの移動方向を転換している。そして、ケーブルガイドにケーブルを配索して、ケーブルがケーブルガイドをガイドレールに押しつけるようにすることにより、ケーブルガイドがガイドレールから外れることを防止している。
特許文献２記載のウインドレギュレータは、プーリーとしてのローラーをスライド固定できるようにしてローラーのカシメ工程を無くすと共に、特許文献１記載のウインドレギュレータと同様にローラーがガイドレールから外れることを防止している。
特許文献３記載のウインドレギュレータは、ガイドレールの端部にガイド部をガイドレールの長手方向に移動自在に組み合わせ、ガイドレールに固定されたガイド部の開口へ、インサート部をガイドレールの面直方向で挿入することにより、ガイド部が移動してガイド部に掛け回されたワイヤに張力を付与することができる。
【先行技術文献】
【特許文献】
【０００４】
【特許文献１】特開２０１６−０８９４００号公報
【特許文献２】米国特許出願公開第２００３/０１４０５６２号明細書
【特許文献３】特開２００７−２１８０４４号公報
【発明の概要】
【発明が解決しようとする課題】
【０００５】
特許文献１及び特許文献２に記載されたウインドレギュレータは、方向変換部材としてのケーブルガイドまたはプーリーを、ガイドレールの長手方向の一端部側からガイドレールに固定した後、ワイヤを方向変換部材の溝部分にかけることとなる。この場合、方向変換部材の溝部分の側面に設けられた壁部分を乗り越えて溝部分にワイヤをかける必要があるため、ワイヤに張力を加えて作業をする必要がある。
【０００６】
また、特許文献１及び特許文献２に記載されたウインドレギュレータは、ワイヤに張力を付与しているスプリングを縮ませることで、ワイヤの長さを調節し、方向変換部材の溝部分の側面に設けられた壁部分を乗り越えて溝部分にワイヤをかけることを可能にするものである。したがって、方向変換部材の溝部分の側面に設けられた壁部分を乗り越える時点で、ワイヤの長さが最大になり、ワイヤに張力を付与するスプリングが最も縮むこととなる。そして、ワイヤが方向変換部材の溝部分に収まった時点で、ワイヤが方向変換部材の壁部分を乗り越えるのに必要な長さ分だけ戻されるため、最も縮んでいたスプリングが若干伸びることとなる。
【０００７】
ここで、ワイヤに張力を付与するスプリングは、ワイヤのたるみ解消に用いるものであり、スプリングのストロークをすべて利用するためには、ワイヤを方向変換部材に掛け回した時点で、スプリングが最も縮んでいることが理想となる。そして、スプリングのストロークをすべて利用できると、スプリングが最も縮んだ状態でスプリングがワイヤに加える張力も最大になるので、この大きな張力によりワイヤのたるみ解消もより確実にできるようになる。一方、特許文献１及び特許文献２に記載されたウインドレギュレータは、ワイヤが方向変換部材の溝部分に収まった時点で、スプリングが最も縮んだ状態から若干伸びることとなるため、スプリングのストロークすべてをワイヤのたるみ解消に利用することができない。
【０００８】
さらに、特許文献１及び特許文献２に記載されたウインドレギュレータは、ガイドレールの長手方向の一端部側から方向変換部材としてのケーブルガイドまたはプーリーを所定の固定位置にスライド固定するものでる。そのため、方向変換部材としてのケーブルガイドまたはプーリーにワイヤを掛け回した状態で、ワイヤに付与されている張力に対抗して、方向変換部材を固定するためには冶具が必要となり、作業にも手間がかかる。
【０００９】
一方、特許文献３に記載されたウインドレギュレータは、方向変換部材としてのガイド部にワイヤをかけた後に、ガイド部を移動してワイヤに張力を加えているため、ワイヤに張力を加えて方向変換部材の溝部分にワイヤをかける必要もなく、また、ワイヤのたるみ解消に用いるスプリングのストロークすべてを利用することも可能である。しかしながら、特許文献３に記載されたウインドレギュレータは、方向変換部材としてのガイド部の他に、インサート部とボルトとが必要になるため、部品点数が増してコストが増加することとなる。
【課題を解決するための手段】
【００１０】
本発明は、上記課題を解決するため、窓ガラスの移動方向に沿って配置されたガイドレールと、前記ガイドレールに沿って前記窓ガラスと共に移動するキャリアプレートと、モータの作動によって回転駆動されるドラムと、一端部が前記キャリアプレートに連結され、他端部が前記ドラムに連結されたワイヤと、前記ワイヤの前記一端部に固定されたワイヤエンドと、前記ワイヤに張力を付与するスプリングと、前記ガイドレールの一端部に設けられて前記ワイヤを支持するワイヤ支持部と、を有し、前記ワイヤにより前記キャリアプレートを移動させることによって前記窓ガラスを昇降させるウインドレギュレータであって、前記ワイヤ支持部は、前記ワイヤが掛け回されて前記ワイヤの方向を変える方向変換部材と、前記ガイドレールの前記一端部に取り付けられ、前記方向変換部材を所定の固定位置に案内する案内部が設けられた固定部材と、を有し、前記案内部が前記方向変換部材を案内する方向は、前記ガイドレールの長手方向に対して交差する方向である、ウインドレギュレータを提供する。
【００１１】
また、本発明は、窓ガラスの移動方向に沿って配置されたガイドレールと、前記ガイドレールに沿って前記窓ガラスと共に移動するキャリアプレートと、モータの作動によって回転駆動されるドラムと、一端部が前記キャリアプレートに連結され、他端部が前記ドラムに連結されたワイヤと、前記ワイヤの前記一端部に固定されたワイヤエンドと、前記ワイヤに張力を付与するスプリングと、前記ガイドレールの一端部に設けられて前記ワイヤを支持するワイヤ支持部と、を有し、前記ワイヤにより前記キャリアプレートを移動させることによって前記窓ガラスを昇降させるウインドレギュレータの製造方法であって、前記ワイヤ支持部は、前記ワイヤが掛け回されて前記ワイヤの方向を変える方向変換部材と、前記ガイドレールの前記一端部に取り付けられ、前記方向変換部材を所定の固定位置に案内する案内部が設けられた固定部材と、を有し、一端部が前記キャリアプレートに連結されると共に他端部が前記ドラムに連結されたワイヤを前記方向変換部材に掛け回し、その後に前記方向変換部材を前記固定部材に設けられた前記案内部で案内することで、前記ガイドレールの長手方向に対して交差する方向に移動させ、前記方向変換部材を所定の位置に固定する、ウインドレギュレータの製造方法を提供する。
【００１２】
さらに、本発明は、窓ガラスの移動方向に沿って配置されたガイドレールと、前記ガイドレールに沿って前記窓ガラスと共に移動するキャリアプレートと、モータの作動によって回転駆動されるドラムと、一端部が前記キャリアプレートに連結され、他端部が前記ドラムに連結されたワイヤと、前記ワイヤの前記一端部に固定されたワイヤエンドと、前記ワイヤに張力を付与するスプリングと、前記ガイドレールの一端部に設けられて前記ワイヤを支持するワイヤ支持部と、を有し、前記ワイヤにより前記キャリアプレートを移動させることによって前記窓ガラスを昇降させるウインドレギュレータのワイヤ支持部であって、前記ワイヤ支持部は、前記ワイヤが掛け回されて前記ワイヤの方向を変える方向変換部材と、前記ガイドレールの前記一端部に取り付けられ、前記方向変換部材を所定の固定位置に案内する案内部が設けられた固定部材と、を有し、前記案内部が前記方向変換部材を案内する方向は、前記ガイドレールの長手方向に対して交差する方向である、ウインドレギュレータのワイヤ支持部を提供する。
【発明の効果】
【００１３】
本発明に係るウインドレギュレータ、ウインドレギュレータの製造方法、及びウインドレギュレータのワイヤ支持部によれば、ワイヤのたるみ解消のために用いるスプリングのストロークをより広い範囲で利用でき、ワイヤのたるみ解消のためにスプリングがワイヤに加える張力もより大きな値とすることができる。また、より少ない部品点数とより簡易な作業とでウインドレギュレータを製造することが可能となる。
【図面の簡単な説明】
【００１４】
【図１】図１は、本発明の第１の実施の形態に係るウインドレギュレータを示す全体概略図である。図１（ａ）はウインドレギュレータの正面図で図１（ｂ）は右側面図である。
【図２】本実施の形態に係るキャリアプレートの構成例で、ワイヤエンド及びコイルスプリングとキャリアプレートを示す平面図である。
【図３】本実施の形態に係るプーリーの構成例で、図３（ａ）は側面図で図３（ｂ）は正面図である。
【図４】本実施の形態に係るプーリーピンの構成例で、図４（ａ）は正面図、図４（ｂ）は側面図、図４（ｃ）は上面図、図４（ｄ）は底面図である。
【図５】本実施の形態にかかるワイヤ支持部の構成例で、図５（ａ）は正面図、図５（ｂ）は図５（ａ）におけるＡ―Ａ線に沿った断面図であり、図５（ｃ）は、第１の実施の形態の図５（ａ）におけるＢ−Ｂ線に沿った断面図であり、図５（ｄ）は、第２の実施の形態の図５（ａ）におけるＢ−Ｂ線に沿った断面図であり、図５（ｅ）は、斜視図である。
【図６】第１の実施の形態の固定部材の構成例で、図６（ａ）は正面図、図６（ｂ）は右側面図、図６（ｃ）は左側面図、図６（ｄ）は背面図、図６（ｅ）は固定部材の固定部を拡大した図、図６（ｆ）は、図５（ｅ）におけるＡ−Ａ線に沿った断面図であり、図６（ｇ）は、斜視図である。
【図７】第１の実施の形態の変形例に係る固定部材の構成例で、図７（ａ）は第１の実施の形態の変形例１の固定部材の正面図、図７（ｂ）は第１の実施の形態の変形例２の固定部材の正面図である。
【図８】第２の実施の形態の固定部材の構成例で、図８（ａ）は正面図、図８（ｂ）は右側面図、図８（ｃ）は左側面図、図８（ｄ）は背面図、図８（ｅ）は固定部材の固定部を拡大した図、図８（ｆ）は、図８（ｅ）におけるＡ−Ａ線に沿った断面図であり、図８（ｇ）は、斜視図である。
【図９】第２の実施の形態の変形例に係る固定部材の構成例で、図９（ａ）は第２の実施の形態の変形例１の固定部材の正面図、図９（ｂ）は第２の実施の形態の変形例２の固定部材の正面図である。
【図１０】第３の実施の形態の固定部材の構成例で、図１０（ａ）は正面図、図１０（ｂ）は右側面図、図１０（ｃ）は左側面図、図１０（ｄ）は背面図、図１０（ｅ）は底面図、図１０（ｆ）は固定部材の固定部を拡大した図、図１０（ｇ）は、図１０（ｇ）におけるＡ−Ａ線に沿った断面図であり、図１０（ｈ）は、斜視図である。
【図１１】第３の実施の形態のワイヤ支持部２０の構成例で、図１１（ａ）は正面図、図１１（ｂ）は、図１１（ａ）におけるＡ−Ａ線に沿った断面図である。
【図１２】第３の実施の形態の変形例に係る固定部材の構成例で、図１２（ａ）は第３の実施の形態の変形例１の固定部材の正面図、図１２（ｂ）は第３の実施の形態の変形例２の固定部材の正面図である。
【図１３】図１３は、本発明の第４の実施の形態に係るウインドレギュレータを示す全体概略図である。図１３（ａ）はウインドレギュレータの正面図で図１３（ｂ）は右側面図である。
【図１４】第４の実施の形態の方向変換部材２８の構成例で、図１４（ａ）は正面図、図１４（ｂ）は右側面図、図１４（ｃ）は左側面図、図１４（ｄ）は背面図、図１４（ｅ）は上面図、図１４（ｆ）は底面図であり、図１４（ｇ）は、斜視図である。
【図１５】第４の実施の形態の固定部材２４の構成例で、図１５（ａ）は正面図、図１５（ｂ）は右側面図、図１５（ｃ）は左側面図、図１５（ｄ）は背面図、図１５（ｅ）は上面図、図１５（ｆ）は底面図であり、図１５（ｇ）は、斜視図である。
【図１６】第４の実施の形態のワイヤ支持部材２９の構成例で、図１６（ａ）は正面図、図１６（ｂ）は右側面図、図１６（ｃ）は斜視図である。
【図１７】第４の実施の形態の変形例に係る固定部材の構成例で、図１７（ａ）は第４の実施の形態の変形例１の固定部材の正面図、図１７（ｂ）は第４の実施の形態の変形例２の固定部材の正面図である。
【図１８】図１８は、本発明のその他の実施の形態に係るウインドレギュレータを示す全体概略図である。
【発明を実施するための形態】
【００１５】
［第１の実施の形態］
本実施の形態に係るウインドレギュレータ１の構成及び動作について、図１乃至図６を参照して説明する。
【００１６】
図１は、本実施の形態に係るウインドレギュレータ１を示す全体図である。図１（ａ）はウインドレギュレータ１の正面図で、図１（ｂ）は側面図である。窓ガラス９を仮想線（二点鎖線）で示している。このウインドレギュレータ１は、車両のドアに設けられ、ドアの窓ガラス９を昇降させる。ここで、図1の上側が窓ガラス９の上昇方向で下側が窓ガラス９の下降方向である。
【００１７】
図１に示すように、ウインドレギュレータ１は、窓ガラス９の移動方向に沿って配置されたガイドレール２と、窓ガラス９が連結されて、ガイドレール２に沿って窓ガラス９と共に移動するキャリアプレート３と、モータ５１の作動によって回転駆動されるドラム５２と、モータ５１及びドラム５２を保持するハウジング５３と、一端部がキャリアプレート３に連結され、他端部がドラム５２に連結されたワイヤ４と、ガイドレール２の一端部に設けられてワイヤ４を支持するワイヤ支持部２０と、を有して概略構成されている。ウインドレギュレータ１は、ワイヤ４によりキャリアプレート２を移動させることによって窓ガラス９を昇降させることができる。
【００１８】
（ガイドレール）
ガイドレール２は、長板状の金属板を所定の曲率で折り曲げて形成された金属製の部材である。キャリアプレート３は、ガイドレール３に摺動可能に固定されると共に、ガイドレール２に案内されて移動することができる。
【００１９】
（上昇用ワイヤ及び下降用ワイヤ）
ワイヤ４は、キャリアプレート３を牽引する上昇用ワイヤ４１と、下降用ワイヤ４２と、を有し、上昇用ワイヤ４１は、一端部がキャリアプレート３に連結され、ガイドレール２の上端に配置されたワイヤ支持部２０を介して他端部が後述する駆動部５のドラム５２に連結されている。下降側ワイヤ４２は、一端部がキャリアプレート３に連結され、他端部がドラム５２に連結されている。ワイヤ支持部２０とドラム５２との間に配策される上昇側ワイヤ４１は、ガイドレール２の長手方向におけるほぼ中央部に設けられたワイヤガイド７によって支持されている。上昇用ワイヤ４１及び下降用ワイヤ４２が、ガイドレール２の長手方向と直交する幅方向において、ガイドレール２の外側にそれぞれ配置されている。
【００２０】
図２に示すように、ウインドレギュレータ１は、ワイヤ４の一端部に固定された上昇用ワイヤエンド４１０と、上昇用ワイヤエンド４１０が係止する筒状の上昇用スライドブッシュ６１と、ワイヤ４に張力を付与する上昇用スプリング６１０と、を有し、ワイヤ４の他端部に固定された下昇用ワイヤエンド４２０と、下降用ワイヤエンド４２０が係止する筒状の下降用スライドブッシュ６２と、ワイヤ４に張力を付与する下降用スプリング６２０と、を有する。
【００２１】
（キャリアプレート）
キャリアプレート３は、例えばポリアセタール等の樹脂によって形成された板状の部材であり、ガイドレール２に対して摺動する。キャリアプレート３には、窓ガラス９と結合するための図略の結合部材が取り付けられる取付穴３ａ，３ｂが形成されている。図２に示すように、キャリアプレート３は、上昇用ワイヤエンド４１０、上昇用スライドブッシュ６１、及び上昇用コイルスプリング６１０収容し、上昇用ワイヤ４１の延伸方向に沿って深さを有する中空状の上昇用ワイヤエンド収容部３１が形成されている。同様に、キャリアプレート３には、下降用ワイヤエンド４２０、下降用スライドブッシュ６２、及び下降用コイルスプリング６２０を収容し、下降用ワイヤ４２の延伸方向に沿って深さを有する中空状の下降用ワイヤエンド収容部３２が形成されている。
【００２２】
（駆動部の構成）
ハウジング５３は、ガイドレール２のワイヤ支持部２０が設けられている一端部とは反対側の他端部が嵌合している。また、ハウジング５３はドラム５２を収容し、ドラム５２はハウジング５３内において、モータ５１の作動によって回転駆動されるように構成されている。モータ５１が作動してドラム５２が図１における時計回り方向に回転すると、上昇用ワイヤ４１がドラム５２によって巻き込まれ、下降用ワイヤ４２が送り出される。これにより、キャリアプレート３が上昇用ワイヤ４１によって牽引されるので、窓ガラス９と共にキャリアプレート３がガイドレール２に沿って上昇する。逆に、ドラム５２が図１における反時計回り方向に回転すると、下降用ワイヤ４２がドラム５２によって巻き込まれ、上昇用ワイヤ４１が送り出される。これにより、キャリアプレート３が下降用ワイヤ４２によって牽引されるので、窓ガラス９と共にキャリアプレート３がガイドレール２に沿って下降する。
【００２３】
（ワイヤ支持部の詳細）
ワイヤ支持部２０は、ワイヤ４が掛け回されてワイヤ４の方向を変える方向変換部材２７と、ガイドレール２の一端部に取り付けられ、方向変換部材２７を所定の固定位置に案内する案内部２１１ａが設けられた固定部材２１と、を有し、案内部２１１ａが方向変換部材２７を案内する方向は、ガイドレール２の長手方向に対して交差する方向である。
【００２４】
ここで、ガイドレール２の長手方向とは図１（ａ）及び（ｂ）に示す矢印Ｌの方向である。長手方向は、図１（ａ）のウインドレギュレータ１を正面にみて紙面に平行な方向である。
【００２５】
方向変換部材２７は、図３に示すように略円盤状であってその周縁部にワイヤ４が掛け回される溝部分２５ｄと溝部分２５ｄを形成する壁部分２５ｃとを備え、平坦部２５ａの中央に後述するプーリーピン２６が挿通する開口部２５ｂとを備えるプーリー２５と、図４に示すように略円筒状であってプーリー２５の開口部２５ｂに挿通され、プーリーが回転するための軸として機能すると共に固定部材２１の案内部２１１ａで所定の固定位置に案内されるプーリーピン２６と、を有している。
【００２６】
図４に示すように、プーリーピン２６は、プーリー２５に挿通される軸部分２６ａと、軸部分２６ａの一端部側に設けられプーリー２５の開口部２５ｂの直径よりも大きな外形を有する抜け止め部２６ｂと、軸部分２６ａにおける抜け止め部２６ｂの他端部側に設けられた軸底部分２６ｄを有する。そして、方向変換部材２７及び固定部材２１のいずれか一方に形成された凹部が、他方に形成された凸部に係合している。第１の実施の形態では図５（ｂ）に示すように、方向変換部材２７が備えるプーリーピン２６が、固定部材２１の案内部２１１ａに案内されるための凹部としての被案内部２６ｃを有している。これに対応して、固定部材２１の案内部２１１ａが、プーリーピン２６の被案内部２６ｃを案内するための凸部としての案内突部２１１ｆを有している。
【００２７】
図６に示すように、固定部材２１は、プーリーピン２６を所定の固定位置で固定して保持する固定部２１１と、固定部２１１からプーリー２５の平坦部２５ａと平行であって窓ガラス９の下降方向に延出してガイドレール２に固定される延出部２１２と、固定部２１１においてガイドレール２の幅方向に位置する固定部の端部２１１ｂと、固定部の端部２１１ｂからプーリー２５の平坦部２５ａと垂直でありかつガイドレール２の長手方向と平行であってプーリー２５と反対側に立設する延長部２１３と、延長部２１３の固定部の端部２１１ｂと向かい合う辺としての延長部の端部２１３ａと、延長部の端部２１３ａから固定部２１１と平行でかつプーリーと対向する方向に延出する設置部２１４と、固定部２１１の延出部２１２側とは反対側の端部からプーリー２５側へ垂直方向に立設されるプーリーガード２１１ｉと、を有している。図６（ｆ）に示すように、固定部２１１と、延長部２１３と、設置部２１４とがなす断面形状は、略コの字型形状となっている。
【００２８】
固定部２１１は、プーリー２５の平坦部２５ａに接触してプーリー２５の回転がプーリーピン２６の軸方向に対して傾くことを防止する円環状の円環突部２１１ｃと、プーリーピン２６の被案内部２６ｃに係合してプーリーピン２６を所定の固定位置まで案内する案内部２１１ａと、固定部の端部２１１ｂ側に設けられると共に案内部２１１ａと接続されてプーリーピン２６の被案内部２６ｃを案内突部２１１ｆに導入するための案内導入部２１１ｅと、案内部２１１ａに設けられ案内部２１１ａにより案内された方向変換部材２７としてのプーリーピン２６を所定の固定位置に係止する係止部２１１ｄと、を有している。
【００２９】
案内部２１１ａについてさらに詳しく説明する。案内部２１１ａは、プーリーピン２６の被案内部２６ｃと係合する凸部に相当し相互に対向する一対の案内突部２１１ｆと、案内部導入部２１１ｅに設けられてプーリーピン２６の被案内部２６ｃを案内突部２１１ｆに導入する相互に対向する一対の案内導入突部２１１ｍと、プーリーピン２６が所定の固定位置に到達した場合にプーリーピン２６がそれ以上案内部２１１ａの奥に案内できないようにするための案内停止部２１１ｇと、が設けられている。さらに係止部２１１ｄは、案内部２１１ａにおいて案内導入部２１１ｅと案内停止部２１１ｇとの間に設けられ、案内突部２１１ｆの一部をなす相互に対向する一対の係止爪２１１ｈを有している。
【００３０】
係止爪２１１ｈについてさらに詳しく説明する。係止爪２１１ｈは、案内導入突部２１１ｍに接続されると共に、案内突部２１１ｆがプーリー２５を案内する方向に延出するものである。係止爪２１１ｈは、案内突部２１１ｆの一部を切起こすことで案内導入部２１１ｅから案内停止部２１１ｇ方向に向かうにしたがって案内突部２１１ｆから離れる角度で形成されており、プーリー２５側から押されると反対側に弾性変形することができる。
【００３１】
係止爪２１１ｈによるプーリーピン２６の固定について説明する。プーリーピン２６を、後述する挿入部２１１ｊから案内導入部２１１ｅを経て案内突部２１１ｆに向かって移動すると、係止爪２１１ｈがプーリーピン２６の被案内部２６ｃと係合し、係止爪２１１ｈはプーリーピン２６の被案内部２６ｃによりプーリー２５側から押されて弾性変形してプーリー２５側と反対方向に屈曲する。これにより、案内突部２１１ｆと係止爪２１１ｈとの間に段差がなくなり、プーリーピン２６の被案内部２６ｃが係止爪２１１ｈを越えて案内突部２１１ｆに向かって移動できるようになる。次に、プーリーピン２６を案内停止部２１１ｇに接触するまでさらに移動させる。そうすると、プーリーピン２６の被案内部２６ｃが係止爪２１１ｈを越えるため、係止爪２１１ｈはプーリー２５側から押されなくなり、弾性変形で屈曲していた係止爪２１１ｈはもとの位置に戻る。よって、図５（ｃ）に示すように係止爪２１１ｈと案内突部２１１ｆとに段差が生じ、係止爪２１１ｆが被案内部２６ｃに再度係合することができなくなり、プーリーピン２６が案内停止部２１１ｇに接触する所定の固定位置で固定されることとなる。
【００３２】
延出部２１２は、ガイドレール２と接触してスポット溶接するための接点としての溶接用突部２１２ａと、溶接用突部２１２ｂと、を有している。
【００３３】
設置部２１４は、ウインドレギュレータ１を車両のドアに設置するためのボルト２１４ａを固定する開口部としてのボルト挿通孔２１４ｂを有している。第１の実施の形態において、ボルト２１４ａはプーリーピン２６の軸方向と同軸方向であってプーリー２５と反対側に延びる方向に固定されている。なお、第１の実施の形態において設置部２１４がボルト２１４ａを有しているが、ボルト２１４ａの代わりにナットにすることも可能である。
【００３４】
延長部２１３は、設置部２１４のボルト挿通孔２１４ｂに固定したボルト２１４ａと車両のドアとを固定するために、設置部２１４が車両のドアに接触する位置までかさ上げするためものである。
【００３５】
また、延長部２１３には固定部の端部２１１ｂから延長部２１３かけて、案内部２１１ａに接続するように開口部としての挿入部２１１ｊが設けられている。挿入部２１１ｊはプーリーピン２６を案内部２１１ａに挿入するための入り口となる。
【００３６】
案内部２１１ａの案内方向についてさらに詳しく説明する。第１の実施の形態では、案内部２１１ａが方向変換部材２７を案内する方向は、ガイドレール２の長手方向に対して直交する方向である。さらに、第１の実施の形態では、案内部２１１ａが方向変換部材２７を案内する方向は、ガイドレール２の幅方向である。そうすると、第１の実施の形態では、方向変換部材２７が有するプーリーピン２６を案内する方向は、ガイドレール２の長手方向に直交する方向であると共にガイドレール２の幅方向となる。
【００３７】
ここで、ガイドレール２の幅方向とは図１で示す矢印Ｗの方向である。幅方向は、図１（ａ）のウインドレギュレータ１を正面にみて紙面に平行であると共に、矢印Ｌで示す方向に直交する方向である。
【００３８】
ウインドレギュレータ１の製造方法について説明する。固定部材２１に方向変換部材２７を組み付ける場合、ワイヤ４を方向変換部材２７に掛け回し、その後に方向変換部材２７を固定部材２１に設けられた案内部２１１ａで案内することで、ガイドレール２の長手方向に対して交差する方向に移動させ、方向変換部材２７を所定の位置に固定する。
【００３９】
次に、第１の実施の形態で固定部材２１に方向変換部材２７を組み付ける場合について説明する。方向変換部材２７が有するプーリー２５にワイヤ４を掛け回して、ワイヤ４に張力を加ながら方向変換部材２７を挿入部２１１ｊまで移動させると、上昇用スプリング６１０及び下降用スプリング６２０スプリングが最も縮んだ状態となる。その後、挿入部２１１ｊから第１の実施の形態の案内部２１１ａの方向にプーリーピン２６を案内して、方向変換部材２７を所定の固定位置に固定する。そうすると、上昇用スプリング６１０及び下降用スプリング６２０スプリングが最も縮んだ状態から若干伸びた状態でプーリー２５を所定の固定位置に固定することができる。これにより、ワイヤ４のたるみを取るために、上昇用スプリング６１０及び下降用スプリング６２０のストロークを十分に活用できるため、スプリングの長さをより短いものとすることが可能となる。ここで、第１の実施の形態は、スプリングの伸びは若干あるものの、プーリー２５を固定してからプーリー２５の壁部分２５ｃを越えてワイヤ４を溝部分２５ｄに掛け回す場合に比べるとスプリングの伸びを少なくすることができる。
【００４０】
そして、第１の実施の形態によれば、プーリー２５にワイヤ４を掛け回してワイヤ４に張力を付加した状態でプーリーピン２６を案内部２１１ａで案内して固定できる。これにより、プーリー２５を固定部材２１に固定した後で別途ワイヤ４に張力を付加してプーリー２５にワイヤ４を掛け回す作業に比べて、より簡易にウインドレギュレータ１を製造することができる。
【００４１】
また、第１の実施の形態の案内部２１１ａの方向は、プーリーピン２６にワイヤ４から付加される張力の方向に対して直交しているため、ワイヤ４から付加される張力がプーリーピン２６を介して、案内部２１１ａに設けられた係止部２１１ｄに直接加わることがない。よって、係止部２１１ｄはプーリーピン２６の抜け止めとして機能するだけでよくなり、ワイヤ４の張力に耐え得る形状にする必要がない。
【００４２】
［第１の実施の形態の変形例１］
図７（ａ）に示すように、第１の実施の形態の変形例１は案内部２１１ａの方向が第１の実施の形態と異なる他、第１の実施の形態に係るウインドレギュレータ１と同様に構成されているため、第１の実施の形態について説明したものと実質的に同様の機能を有する構成要素については、同一の符号を付して重複した説明を省略する。
【００４３】
第１の実施の形態の変形例１では、案内部２１１ａが方向変換部材２７を案内する方向は、ガイドレール２の長手方向に対して傾斜する方向であって、方向変換部材２７を案内部２１１ａで案内して所定の固定位置に近づけるにつれてワイヤ４に付与される張力が増加する方向である。
【００４４】
第１の実施の形態の変形例１で固定部材２１に方向変換部材２７を組み付ける場合について説明する。第１の実施の形態の変形例１の案内部２１１ａの方向にすることで、プーリー２５にワイヤ４を掛け回して、ワイヤ４の張力を増加させながらプーリーピン２６を案内部２１１ａで移動させることができる。そうすると、上昇用スプリング６１０及び下降用スプリング６２０を最も縮ませた状態にしてプーリーピン２６を所定の固定位置に固定することが可能となる。これにより、上昇用スプリング６１０及び下降用スプリング６２０のストロークを最大限に活用できるため、スプリングの長さを最も短いものとすることが可能となる。
【００４５】
そして、方向変換部材２７を固定部材２１に取り付ける方向と方向変換部材２７がワイヤ４に張力を付加する方向とが一致するため、方向変換部材２７をガイドレール２に取り付ける作業を行うと同時に、ワイヤ４に張力を付加する作業を行うことができる。これにより、一度の作業でより簡易にウインドレギュレータ１を製造することができる。
【００４６】
［第１の実施の形態の変形例２］
図７（ｂ）に示すように、第１の実施の形態の変形例２は案内部２１１ａの方向が第１の実施の形態と異なる他、第１の実施の形態に係るウインドレギュレータ１と同様に構成されているため、第１の実施の形態について説明したものと実質的に同様の機能を有する構成要素については、同一の符号を付して重複した説明を省略する。
【００４７】
第１の実施の形態の変形例２は、案内部２１１ａが方向変換部材２７を案内する方向は、ガイドレール２の長手方向に対して傾斜する方向であって、方向変換部材２７を案内部２１１ａで案内して所定の固定位置に近づけるにつれてワイヤ４に付与される張力が減少する方向である。
【００４８】
第１の実施の形態の変形例２で固定部材２１に方向変換部材２７を組み付ける場合について説明する。方向変換部材２７が有するプーリー２５にワイヤ４を掛け回して、ワイヤ４に張力を加ながら方向変換部材２７を挿入部２１１ｊまで移動させると、上昇用スプリング６１０及び下降用スプリング６２０スプリングが最も縮んだ状態となる。その後、第１の実施の形態の変形例２の案内部２１１ａの方向にプーリーピン２６を案内して、方向変換部材２７を所定の固定位置に固定する。そうすると、上昇用スプリング６１０及び下降用スプリング６２０が最も縮んだ状態から伸びた状態でプーリー２５を所定の固定位置に固定することができる。ここで、第１の実施の形態の変形例２は、スプリングの伸びはあるものの、案内部２１１ａの傾斜を調整することでプーリー２５を固定してからプーリー２５の壁部分２５ｃを越えてワイヤ４を溝部分２５ｄに掛け回す場合に比べて、同等かまたはより少なくすることも可能である。
【００４９】
これにより、第１の実施の形態の変形例２の案内部２１１ａの方向は、ワイヤ４がプーリーピン２６を案内停止部２１１ｇ側に移動させる方向であるため、ワイヤ４から付加される張力がプーリーピン２６を介して案内停止部２１１ｇとは反対側にある係止部２１１ｄに直接加わることがない。さらに、ワイヤ４からプーリーピン２６に付加される張力はプーリーピン２６を所定の固定位置に規制する方向でもある。よって、上昇用スプリング６１０及び下降用スプリング６２０が最も縮んだ状態から伸びた状態になるものの、係止部２１１ｄはプーリーピン２６の抜け止めとして機能するだけでよくなり、ワイヤ４の張力に耐え得る形状にする必要がない。
【００５０】
［第２の実施の形態］
図８に示すように、第２の実施の形態は案内部２２１ａに設けられた係止部２２１ｄの形状が第１の実施の形態と異なる他、第１の実施の形態に係るウインドレギュレータ１と同様に構成されているため、第１の実施の形態について説明したものと実質的に同様の機能を有する構成要素については、同一の符号を付して重複した説明を省略する。また、第１の実施の形態と重複する効果についても説明を省略する。
【００５１】
本実施の形態において係止部２２１ｄは、挿入部２１１ｊにおける固定部の端部２１１ｂと平行な開口部底辺２１１ｋから立設するものである。係止部２１１ｄは、開口部底辺２１１ｋと接続すると共に後述する係止爪２２１ｆを案内部２１１ａに向かって湾曲させる係止湾曲部２２１ｎと、係止湾曲部２２１ｎに接続されると共に案内突部２１１ｆがプーリー２５を案内する方向に対して角度が異なるように形成された係止爪２２１ｈと、を有する。
【００５２】
係止爪２２１ｈについてさらに詳しく説明する。係止爪２２１ｈは、案内導入部２１１ｅから案内停止部２１１ｇ方向に向かうにしたがって案内突部２１１ｆに近づく角度で形成されており、プーリー２５側から押されると反対側に弾性変形することができる。
【００５３】
係止爪２２１ｈによるプーリーピン２６の固定について説明する。プーリーピン２６を挿入部２１１ｊから案内導入部２１１ｅを経て案内突部２１１ｆに向かって移動すると、係止爪２２１ｈはプーリーピン２６の軸底部分２６ｄによりプーリー２５側から押されて弾性変形しプーリー２５側と反対方向に屈曲する。これにより、プーリーピン２６が係止爪２２１ｈを越えて案内突部２１１ｆに沿って移動できるようになる。次に、プーリーピン２６を案内停止部２１１ｇに接触するまでさらに移動させる。そうすると、プーリーピン２６の軸底部分２６ｄが係止爪２２１ｈを越えるため、係止爪２２１ｈはプーリー２５側から押されなくなり、弾性変形で屈曲していた係止爪２２１ｈはもとの位置に戻る。よって、図５（ｄ）に示すように係止爪２２１ｈの高さがプーリーピン２６の軸底部分２６ｄに対してプーリー２５側に高くなることで、プーリーピン２６が挿入部２１１ｊ側に移動できなくなり、プーリーピン２６が所定の固定位置で固定されることとなる。
【００５４】
［第２の実施の形態の変形例１］
図９（ａ）に示すように、第２の実施の形態の変形例１は案内部２１１ａの方向が第２の実施の形態と異なる他、第２の実施の形態に係るウインドレギュレータ１と同様に構成されているため、第２の実施の形態について説明したものと実質的に同様の機能を有する構成要素については、同一の符号を付して重複した説明を省略する。また、第２の実施の形態の変形例１は、第１の実施の形態の変形例１に対してプーリーピン２６を係止する係止部２２１ｄの形状が異なるのみであるため、第１の実施の形態の変形例１と重複する効果についても説明を省略する。
【００５５】
第２の実施の形態の変形例１は、案内部２１１ａが方向変換部材２７を案内する方向は、ガイドレール２の長手方向に対して傾斜する方向であって、方向変換部材２７を案内部２１１ａで案内して所定の固定位置に近づけるにつれてワイヤ４に付与される張力が増加する方向である。
【００５６】
［第２の実施の形態の変形例２］
図９（ｂ）に示すように、第２の実施の形態の変形例２は案内部２１１ａの方向が第２の実施の形態と異なる他、第２の実施の形態に係るウインドレギュレータ１と同様に構成されているため、第２の実施の形態について説明したものと実質的に同様の機能を有する構成要素については、同一の符号を付して重複した説明を省略する。また、第２の実施の形態の変形例２は、第１の実施の形態の変形例２に対してプーリーピン２６を係止する係止部２２１ｄの形状が異なるのみであるため、第１の実施の形態の変形例２と重複する効果についても説明を省略する。
【００５７】
第２の実施の形態の変形例２は、案内部２１１ａが方向変換部材２７を案内する方向は、ガイドレール２の長手方向に対して傾斜する方向であって、方向変換部材２７を案内部２１１ａで案内して所定の固定位置に近づけるにつれてワイヤ４に付与される張力が減少する方向である。
【００５８】
［第３の実施の形態］
図１０に示すように、第３の実施の形態はワイヤ支持部２０が有する固定部材２３の形状が第１の実施の形態と異なる他、第１の実施の形態に係るウインドレギュレータ１と同様に構成されているため、第１の実施の形態について説明したものと実質的に同様の機能を有する構成要素については、同一の符号を付して重複した説明を省略する。また、第１の実施の形態と重複する効果についても説明を省略する。
【００５９】
本実施の形態では図１０に示すように、固定部材２３は樹脂によって形成された部材であり、プーリーピン２６を所定の固定位置で固定して保持する固定部２３１と、固定部２３１からプーリー２５の平坦部２５ａと平行であって窓ガラス９の下降方向に延出すると共にプーリー２５側へ垂直に立設してガイドレール２に固定される延出部２３２と、固定部２３１においてプーリー２５が固定される側とは反対側の固定部底面２３４ｃから立設しガイドレール２の幅方向から見た側面が略台形状の延長部２３３と、延長部２３３において固定部の底面２３４ｃと平行な平面をなす設置部２３４と、固定部２３１の延出部２３２側とは反対側の端部からプーリー２５側へ垂直方向に立設されるプーリーガード２３１ｉとを有している。
【００６０】
固定部２３１は、プーリー２５の平坦部２５ａに接触してプーリー２５の回転がプーリーピン２６の軸方向に対して傾くことを防止する円環状の円環突部２３１ｃと、プーリーピン２６の被案内部２６ｃに係合してプーリーピン２６を所定の固定位置まで案内する案内部２３１ａと、固定部の端部２３１ｂ側に設けられると共に案内部２３１ａと接続されてプーリーピン２６の被案内部２６ｃを案内突部２３１ｆに導入するための案内導入部２３１ｅと、案内部２３１ａに設けられ案内部２３１ａにより案内された方向変換部材２７としてのプーリーピン２６を所定の固定位置に係止する係止部２３１ｄと、を有している。また、固定部２３１の案内導入部２３１ｅ側には固定部の端部２３１ｂを有している。
【００６１】
案内部２３１ａについてさらに詳しく説明する。案内部２３１ａは、プーリーピン２６の被案内部２６ｃと係合する凸部に相当し相互に対向する一対の案内突部２３１ｆと、案内部導入部２３１ｅに設けられてプーリーピン２６の被案内部２６ｃを案内突部２３１ｆに導入する相互に対向する一対の案内導入突部２３１ｍと、プーリーピン２６が所定の固定位置に到達した場合にプーリーピン２６がそれ以上案内部２３１ａの奥に案内できないようにするための案内停止部２３１ｇと、が設けられている。さらに係止部２３１ｄは、案内部２３１ａにおいて案内停止部２１１ｇから案内導入部２３１ｅ方向に立設する係止延出部２３１ｎと、係止延出部２３１ｎに接続して係止延出部２３１ｎと案内導入部２３１ｅとの間に設けられた係止爪２３１ｈを有している。
【００６２】
係止爪２３１ｈについてさらに詳しく説明する。係止爪２３１ｈは図１０（ｇ）に示すように、案内導入部２３１ｅから案内停止部２３１ｇ方向に向かうにしたがって案内突部２３１ｆに近づく角度で断面三角形の形状になるように形成されている。そして、係止部２３１ｄは、係止爪２３１ｈがプーリー２５側から押されると反対側に弾性変形することができる。
【００６３】
係止爪２３１ｈによるプーリーピン２６の固定について説明する。プーリーピン２６を後述する挿入部２３１ｊから案内導入部２３１ｅを経て案内突部２３１ｆに向かって移動すると、係止爪２３１ｈがプーリーピン２６の軸底部分２６ｄによりプーリー２５側から押されて、係止部２３１ｄは弾性変形しプーリー２５側と反対方向に屈曲する。これにより、プーリーピン２６が係止爪２３１ｈを越えて案内突部２３１ｆに沿って移動できるようになる。次に、プーリーピン２６を案内停止部２３１ｇに接触するまでさらに移動させる。そうすると、プーリーピン２６の軸底部分２６ｄが係止爪２３１ｈを越えるため、係止爪２３１ｈはプーリー２５側から押されなくなり、弾性変形で屈曲していた係止部２３１ｄはもとの位置に戻る。よって、図１１に示すように係止爪２３１ｈの高さがプーリーピン２６の軸底部分２６ｄに対してプーリー２５側に高くなることで、プーリーピン２６が挿入部２３１ｊ側に移動できなくなり、プーリーピン２６が所定の固定位置で固定されることとなる。
【００６４】
延出部２３２は図１０（ｅ）に示すように、固定部材２３におけるプーリーガード２３１ｉと反対側となる延出部２３２の端部には、ガイドレール２を挿入して固定する挿入孔２３２ａが設けられている。
【００６５】
設置部２３４は図１０（ｄ）に示すように、ウインドレギュレータ１を車両のドアに設置するためのボルト２１４ａを固定する開口部としてのボルト挿通孔２３４ｂを有している。第３の実施の形態において、ボルト２１４ａはプーリーピン２６の軸方向と同軸方向であってプーリー２５と反対側に延びる方向に固定されている。なお、第３の実施の形態において設置部２３４がボルト２１４ａを有しているが、ボルト２１４ａの代わりにナットにすることも可能である。
【００６６】
延長部２３３は図１０（ｂ）に示すように、設置部２３４のボルト挿通孔２３４ｂに固定したボルト２１４ａと車両のドアとを固定するために、設置部２３４が車両のドアに接触する位置までかさ上げするためものである。
【００６７】
図１０（ｂ）に示すように固定部２３１が有する固定部の端部２３１ｂには、案内部２３１ａに接続するように開口部としての挿入部２３１ｊが設けられている。挿入部２３１ｊはプーリーピン２６を案内部２３１ａに挿入するための入り口となる。
【００６８】
［第３の実施の形態の変形例１］
図１２（ａ）に示すように、第３の実施の形態の変形例１は案内部２３１ａの方向が第３の実施の形態と異なる他、第３の実施の形態に係るウインドレギュレータ１と同様に構成されているため、第３の実施の形態について説明したものと実質的に同様の機能を有する構成要素については、同一の符号を付して重複した説明を省略する。また、第３の実施の形態の変形例１は、第１の実施の形態の変形例１に対して固定部材２３の形状が異なるものの第１の実施の形態の変形例１と同一の機能を有するものであるため、第１の実施の形態の変形例１と重複する効果についても説明を省略する。
【００６９】
第３の実施の形態の変形例１は、案内部２３１ａが方向変換部材２７を案内する方向は、ガイドレール２の長手方向に対して傾斜する方向であって、方向変換部材２７を案内部２３１ａで案内して所定の固定位置に近づけるにつれてワイヤ４に付与される張力が増加する方向である。
【００７０】
［第３の実施の形態の変形例２］
図１２（ｂ）に示すように、第３の実施の形態の変形例２は案内部２３１ａの方向が第３の実施の形態と異なる他、第３の実施の形態に係るウインドレギュレータ１と同様に構成されているため、第３の実施の形態について説明したものと実質的に同様の機能を有する構成要素については、同一の符号を付して重複した説明を省略する。また、第３の実施の形態の変形例２は、第１の実施の形態の変形例２に対して固定部材２３の形状が異なるものの第１の実施の形態の変形例２と同一の機能を有するものであるため、第１の実施の形態の変形例２と重複する効果についても説明を省略する。
【００７１】
第３の実施の形態の変形例２は、案内部２３１ａが方向変換部材２７を案内する方向は、ガイドレール２の長手方向に対して傾斜する方向であって、方向変換部材２７を案内部２３１ａで案内して所定の固定位置に近づけるにつれてワイヤ４に付与される張力が減少する方向である。
【００７２】
［第４の実施の形態］
（ワイヤ支持部の詳細）
図１３に示すように、第４の実施の形態はワイヤ支持部２９が有する固定部材２４と方向変換部材２８の形状が第１の実施の形態と異なる他、第１の実施の形態に係るウインドレギュレータ１と同様に構成されているため、第１の実施の形態について説明したものと実質的に同様の機能を有する構成要素については、同一の符号を付して重複した説明を省略する。また、第１の実施の形態と重複する効果についても説明を省略する。
【００７３】
本実施の形態では図１３に示すように、ワイヤ支持部２９は樹脂によって形成された部材であり、ワイヤ４が掛け回されてワイヤ４の方向を変える方向変換部材２８と、ガイドレール２の一端部に取り付けられ、方向変換部材２８を所定の固定位置に案内する案内部２４１が設けられた固定部材２４と、を有し、案内部２４１が方向変換部材２８を案内する方向は、ガイドレール２の長手方向に対して交差する方向である。
【００７４】
方向変換部材２８は、図１４に示すように略半円盤形状であってその半円形状の周縁部側にワイヤ４が掛け回される溝部分２８ｄと溝部分２８ｄを形成する壁部分２８ｃと、半円盤形状における平坦部２８ａ及び２８ｂと、を有している。
【００７５】
また、方向変換部材２８及び固定部材２４のいずれか一方に形成された凹部が、他方に形成された凸部に係合している。第４の実施の形態では図１４（ａ）に示すように、方向変換部材２８の底面２８ｆが、後述する固定部材２４の案内部２４１に案内されるための凹部としての被案内部２８ｅを有している。
【００７６】
方向変換部材２８についてさらに説明する。方向変換部材２８は、半円形状の円弧の開始部分の両端部であって平坦部２８ｂ側の壁部分２８ｃから平坦部２８ａ方向に立設する一対のワイヤガード２４１ｉが設けられている。そして、方向変換部材２８の平坦部２８ｂにおける窓ガラス９の上昇方向側には、後述する係止部２４１ａに係止するための板状の係止板２４１ｄが設けられている。
【００７７】
係止板２４１ｄは、平坦部２８ｂに接続される係止延長部２４１ｎと、係止延長部２４１ｎの先端側に接続される略三角形状であってその頂点の１つが被案内部２８ｅ側に向くように設けられた係止爪２４１ｈと、を有する。係止板２４１ｄは、係止延長部２４１ｎをガイドレール２の長手方向から押すことでその反対側に弾性変形することができる。
【００７８】
図１５に示すように、固定部材２４は、方向変換部材２８を所定の固定位置で固定して保持すると共に方向変換部材２８を案内する固定部２４１と、固定部２４１からガイドレール２の長手方向であって窓ガラス９の下降方向に延出してガイドレール２に固定される延出部２４２と、固定部２４１においてガイドレール２の長手方向及び幅方向に垂直な方向に位置する固定部の端部２４１ｂと、固定部の端部２４１ｂからガイドレール２の長手方向及び幅方向に垂直な方向であって方向変換部材２８を案内する方向に略円筒形状で立設する延長部２４３と、を有している。
【００７９】
延長部２４３について説明する。延長部２４３は、延長部２４３における方向変換部材２８側と反対側の端部としての設置部２４４と、延長部２４３の窓ガラス９の上昇方向の端部に立設する係止部２４１ａと、延長部２４３における方向変換部材２８と接する側の端部としての案内停止部２４１ｇと、を有している。また、図１５（ｆ）に示すように延出部２４２の固定部２４１と反対側となる延出部底面２４２ａには、ガイドレール２を挿入して固定する挿入孔２４２ｂが設けられている。さらに、延長部２４３の案内停止部２４１ｇには、ボルト２４４ａを挿入孔２４２ｂ挿通するための入り口となる導入孔２４３ｊが設けられている。
【００８０】
延長部２４３は図１０（ｂ）に示すように、設置部２４４のボルト挿通孔２４４ｂに固定したボルト２４４ａと車両のドアとを固定するために、設置部２４４が車両のドアに接触する位置までかさ上げするためものである。
【００８１】
係止爪２４１ｈによる方向変換部材２８の固定について説明する。固定部２４１は、方向変換部材２８の被案内部２８ｅと係合する凸部に相当する一対の案内突部２４１ｆが設けられている。方向変換部材２８を固定部材２４に組み付ける場合、方向変換部材２８の被案内部２８ｅを、案内突部２４１ｆと係合させて案内部２４１に沿って延長部２４３に向かって移動させる。そして、係止板２４１ｄの先端の係止爪２４１ｈが係止部２４１ａに接触すると、係止爪２４１ｈが窓ガラス９の上昇方向に押されて係止板２４１ｄが弾性変形する。これにより、係止爪２４１ｈが係止部２４１ａの上端に沿って移動できるようになる。さらに方向変換部材２８を移動して案内停止部２４１ｇに接触させると、係止爪２４１ｈが係止部２４１ａを越えて係止部２４１ａから押されなくなるので係止板２４１は元の位置に戻ることができる。よって図１６（ｂ）に示すように、係止爪２４１ｈが係止部２４１ａに係合し、方向変換部材２８が所定の固定位置に固定される。
【００８２】
設置部２４４は図１０（ｄ）に示すように、ウインドレギュレータ１を車両のドアに設置するためのボルト２４４ａを挿通して固定する開口部としてのボルト挿通孔２４４ｂを有している。第４の実施の形態において、ボルト２４４ａは方向変換部材２８と反対側に延びる方向に固定されている。なお、第４の実施の形態において設置部２４４がボルト２４４ａを有しているが、ボルト２４４ａの代わりにナットにすることも可能である。
【００８３】
案内部としての固定部２４１の案内方向についてさらに詳しく説明する。第４の実施の形態では、固定部２４１が方向変換部材２８を案内する方向は、ガイドレール２の長手方向に対して直交する方向である。さらに、第４の実施の形態では、固定部２４１が方向変換部材２８を案内する方向は、ガイドレール２の幅方向に直交する方向である。そうすると、第４の実施の形態では、方向変換部材２８を案内する方向は、ガイドレール２の長手方向及びガイドレール２の幅方向に直交する方向である。
【００８４】
さらに第４の実施の形態では、方向変換部材２８を案内する方向は、ガイドレール２の湾曲に沿う方向に対して傾斜する方向である。言い換えると、方向変換部材２８を案内する方向は、ガイドレール２の湾曲に沿う方向ではない。
【００８５】
ここで、ガイドレール２の幅方向とは図１５で示す矢印Ｗの方向である。ガイドレール２の幅方向は、図１５（ａ）のウインドレギュレータ１を正面にみて紙面に平行であると共に、矢印Ｌで示す方向に直交する方向である。また、ガイドレール２の湾曲に沿う方向とは、図１５で示す矢印Ｒの方向である。ガイドレール２の湾曲に沿う方向は、図１５（ｂ）のウインドレギュレータ１を側面にみて紙面に平行であると共に、ガイドレール２に平行な方向である。
【００８６】
［第４の実施の形態の変形例１］
図１７（ａ）に示すように、第４の実施の形態の変形例１は案内部としての固定部２４１の方向が第４の実施の形態と異なる他、第４の実施の形態に係るウインドレギュレータ１と同様に構成されているため、第４の実施の形態について説明したものと実質的に同様の機能を有する構成要素については、同一の符号を付して重複した説明を省略する。また、第４の実施の形態の変形例１は、第１の実施の形態の変形例１に対して固定部材２４の形状が異なるものの第１の実施の形態の変形例１と同一の機能を有するものであるため、第１の実施の形態の変形例１と重複する効果についても説明を省略する。
【００８７】
第４の実施の形態の変形例１は、案内部としての固定部２４１が方向変換部材２８を案内する方向は、ガイドレール２の長手方向に対して傾斜する方向であって、方向変換部材２８を案内部としての固定部２４１で案内して所定の固定位置に近づけるにつれてワイヤ４に付与される張力が増加する方向である。
【００８８】
［第４の実施の形態の変形例２］
図１７（ｂ）に示すように、第４の実施の形態の変形例２は案内部としての固定部２４１の方向が第４の実施の形態と異なる他、第４の実施の形態に係るウインドレギュレータ１と同様に構成されているため、第４の実施の形態について説明したものと実質的に同様の機能を有する構成要素については、同一の符号を付して重複した説明を省略する。また、第４の実施の形態の変形例２は、第１の実施の形態の変形例２に対して固定部材２４の形状が異なるものの第１の実施の形態の変形例２と同一の機能を有するものであるため、第１の実施の形態の変形例２と重複する効果についても説明を省略する。
【００８９】
第４の実施の形態の変形例２は、案内部としての固定部２４１が方向変換部材２８を案内する方向は、ガイドレール２の長手方向に対して傾斜する方向であって、方向変換部材２８を案内部としての固定部２４１で案内して所定の固定位置に近づけるにつれてワイヤ４に付与される張力が減少する方向である。
【００９０】
［その他の実施の形態］
図１８に示すウインドレギュレータ１のように、ガイドレール２の一端部に設けられてワイヤ４を支持するワイヤ支持部２０ａと、ガイドレール２の他端部に設けられてワイヤ４を支持するワイヤ支持部２０ｂと、のいずれか一方に本発明のワイヤ支持部２０またはワイヤ支持部２９を用いることが可能である。さらに、ガイドレールを複数用いるウインドレギュレータについても、ワイヤ４を支持する支持部材として本発明のワイヤ支持部２０またはワイヤ支持部２９を用いることも可能である。
【００９１】
また、上記実施の形態では、ワイヤ支持部が有する固定部を、ガイドレールの端部に固定する場合について説明したものであるが、これに限定されるものではなく、固定部材がガイドレールと一体に形成されていてもよい。さらに、ガイドレールを用いないウインドレギュレータであって、ワイヤ支持部をドアパネルに直接固定するものや、ウインドレギュレータモジュールに用いる各部品を固定するパネルにワイヤ支持部を直接設けるものにおいても、本発明のワイヤ支持部を用いることが可能である。
【００９２】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。本発明は、その趣旨を逸脱しない範囲で適宜変形して実施することが可能である。
【符号の説明】
【００９３】
１…ウインドレギュレータ                          ２…ガイドレール
３…キャリアプレート                              ４…ワイヤ
７…ワイヤガイド                                  ９…窓ガラス
２０…ワイヤ支持部                              ２２…固定部材
２５…プーリー                                  ２６…プーリーピン
２７…方向変換部材
３１…上昇用ワイヤエンド収容部
３２…下降用ワイヤエンド収容部
４１…上昇用ワイヤ                              ４２…下降用ワイヤ
５１…モータ                                    ５２…ドラム
５３…ハウジング
６１…上昇用スライドブッシュ
６２…下降用スライドブッシュ
２１１…固定部                                  ２１１ａ…案内部
２１１ｄ…係止部                                ２１１ｅ…案内導入部
２１１ｆ…案内突部                              ２１１ｇ…案内停止部
２１１ｈ…係止爪                                ２１１ｊ…挿入部
４１０…上昇用ワイヤエンド
４２０…下降用ワイヤエンド
６１０…上昇用コイルスプリング
６２０…下降用コイルスプリング
【図１】
2020020183.tif 000003
【図２】
2020020183.tif 000004
【図３】
2020020183.tif 000005
【図４】
2020020183.tif 000006
【図５】
2020020183.tif 000007
【図６】
2020020183.tif 000008
【図７】
2020020183.tif 000009
【図８】
2020020183.tif 000010
【図９】
2020020183.tif 000011
【図１０】
2020020183.tif 000012
【図１１】
2020020183.tif 000013
【図１２】
2020020183.tif 000014
【図１３】
2020020183.tif 000015
【図１４】
2020020183.tif 000016
【図１５】
2020020183.tif 000017
【図１６】
2020020183.tif 000018
【図１７】
2020020183.tif 000019
【図１８】
2020020183.tif 000020